(57)【要約】【課題】地域設定装置が存在する地域を自動的且つ確実に設定することである。【解決手段】据え置き型レコーダ１は、ラジオチューナー１８と、地域毎に放送局を有する放送局群の各放送局の周波数と、各放送局で異なる第１の放送内容情報と、各放送局の地域情報と、を記憶する記憶部１３と、放送局群を特定するための第２の放送内容情報の放送予定時刻に、ラジオチューナー１８の周波数を前記記憶された各放送局の周波数に合せて第２の放送内容情報及び電界強度を検出し、第２の放送内容情報が検出され電界強度が最も高い周波数を抽出し、抽出された周波数に対応する第１の放送内容情報の放送予定時刻に、ラジオチューナー１８の周波数を抽出された周波数に合せて第１の放送内容情報を検出し、検出された第１の放送内容情報に対応する前記記憶された地域情報を自装置が存在する現在位置の地域情報として設定するＣＰＵ１１と、を備える。【選択図】図１
2010288037.tif 000002
【特許請求の範囲】
【請求項１】
電波の受信信号を復調して音声信号を出力するとともに、受信電波の周波数を調整可能な受信部と、
地域毎に放送局を有する放送局群の各放送局の周波数と、前記放送局群の各放送局で異なる第１の放送内容情報と、前記放送局群の各放送局の地域情報と、を対応付けて記憶する記憶部と、
前記放送局群を特定するための第２の放送内容情報の放送予定時刻に、前記受信部の周波数を前記記憶された各放送局の周波数に合せて前記第２の放送内容情報及び電界強度を検出し、当該第２の放送内容情報が検出された周波数のうち、電界強度が最も高い周波数を抽出し、当該抽出された周波数に対応する第１の放送内容情報の放送予定時刻に、前記受信部の周波数を前記抽出された周波数に合せて第１の放送内容情報を検出し、当該検出された第１の放送内容情報に対応する前記記憶された地域情報を自装置が存在する現在位置の地域情報として設定する制御部と、を備える地域設定装置。
【請求項２】
前記第１の放送内容情報は、コールサインであり、
前記第２の放送内容情報は、時報である請求項１に記載の地域設定装置。
【請求項３】
放送局の放送に関するコンテンツデータを配信する機器を含むネットワークに接続され、当該ネットワーク上の機器と通信するネットワーク通信部を備え、
前記記憶部は、放送局の地域情報と、当該放送局の周波数と、当該放送局のコンテンツデータを配信する機器に接続するためのアドレス情報と、を対応付けて記憶し、
前記制御部は、放送の電波の受信信号を受信中に、前記受信部の周波数に対応し、且つ前記設定された現在位置の地域情報に対応する前記記憶されたアドレス情報を取得し、当該取得したアドレス情報を用いて、前記ネットワーク通信部を介して受信中の放送に対応する機器に接続してコンテンツデータを受信する請求項１又は２に記載の地域設定装置。
【請求項４】
前記制御部は、前記ネットワーク通信部を介して機器に接続してコンテンツデータを受信した場合に、当該受信したコンテンツデータの配信元のアドレス情報に対応し、且つ前記設定された現在位置の地域情報に対応する前記記憶された周波数を取得し、前記受信部の周波数を前記取得した周波数に合せて、前記受信部を介して前記コンテンツデータに対応する放送の電波の受信信号を受信する請求項３に記載の地域設定装置。
【発明の詳細な説明】
【技術分野】
【０００１】
本発明は、地域設定装置に関する。
【背景技術】
【０００２】
従来、地域設定が可能な機器として、地上デジタル放送対応ＴＶ（Television）装置や、地上デジタル放送対応レコーダ等の機器が知られている。例えば、地上デジタル放送対応ＴＶ装置において、このＴＶ装置を設置する地域を設定することで、設定された地域に対応するＴＶ放送局のチャンネルパターンを自動的に設定することが可能である。
【０００３】
図１０及び図１１を参照して、地域設定が可能な機器における従来の地域設定方法を説明する。図１０に、従来の第１の地域設定処理を示す。図１１に、従来の第２の地域設定処理を示す。
【０００４】
先ず、図１０を参照して、従来の第１の地域設定処理を説明する。従来の第１の地域設定処理が実行される機器は、据え付け型の機器とする。この機器は、少なくとも、制御部と、ユーザからの操作入力を受け付ける操作部と、地域設定情報を記憶するための記憶部と、を備える。この機器において、この機器を使用する初期段階に、例えば、従来の第１の地域設定処理の実行指示が操作部に入力されたことをトリガとして、制御部により、従来の第１の地域設定処理が実行される。
【０００５】
図１０に示すように、先ず、記憶部に地域設定情報が記憶されておらず、地域が未確定であるか否かが判別される（ステップＳ４１）。地域が確定されている場合（ステップＳ４１；ＮＯ）、従来の第１の地域設定処理が終了する。
【０００６】
地域が未確定である場合（ステップＳ４１；ＹＥＳ）、操作部によりユーザからの地域情報入力が受け付けられ、その入力された地域情報に応じて地域設定情報が生成されて記憶部に記憶され（ステップＳ４２）、従来の第１の地域設定処理が終了する。入力される地域情報は、機器を設置する郵便番号、電話の市外局番等である。
【０００７】
次に、図１１を参照して、従来の第２の地域設定処理を説明する。従来の第２の地域設定処理が実行される機器は、モバイル用途の機器とする。この機器は、少なくとも、制御部と、操作部と、記憶部と、ＧＰＳ（Global Positioning System）衛星から受信するＧＰＳ信号等に基づいて機器の現在位置（座標位置）を測定するＧＰＳ部と、を備える。この機器において、この機器を使用する初期段階に、例えば、従来の第２の地域設定処理の実行指示が操作部に入力されたことをトリガとして、制御部により、従来の第２の地域設定処理が実行される。
【０００８】
図１１に示すように、先ず、記憶部に地域設定情報が記憶されておらず、地域が未確定であるか否かが判別される（ステップＳ５１）。地域が確定されている場合（ステップＳ５１；ＮＯ）、従来の第２の地域設定処理が終了する。
【０００９】
地域が未確定である場合（ステップＳ５１；ＹＥＳ）、ＧＰＳ部から機器の現在位置情報が取得され、その現在位置情報に対応する地域を示す地域設定情報が生成されて記憶部に記憶され（ステップＳ５２）、従来の第２の地域設定処理が終了する。
【００１０】
また、ラジオ受信機において、ＦＭ（Frequency Modulation）ラジオ放送を下限周波数から上限周波数まで順に受信していき、それらの周波数及び電波強度のパターンを記憶し、このパターンに対応する地域を設定する地域設定方法が知られている（例えば、特許文献１参照）。
【先行技術文献】
【特許文献】
【００１１】
【特許文献１】特開２００１−５３５８７号公報
【発明の概要】
【発明が解決しようとする課題】
【００１２】
しかし、従来の第１の地域設定方法では、機器を使用する初期段階でユーザが地域設定入力を手動で行わねばならず、ユーザの操作入力負担が大きかった。
【００１３】
また、従来の第２の地域設定方法では、自動的に地域設定するので、ユーザ負担が軽減される。しかし、機器がＧＰＳ部を備えねばならず、装置構成が複雑になるとともにコストアップが発生してしまっていた。
【００１４】
また、特許文献１に記載の地域設定方法では、機器（ラジオ受信機）がラジオ放送の受信部を備えればよく、ＧＰＳ部を備える構成に比べて、装置構成の複雑化及びコストアップが軽減される。しかし、ＦＭ放送では、異なる地域において、同じ周波数で放送を行う複数の放送局が存在する。このため、異なる複数の地域において、周波数及び電波強度のパターンが偶然にも似通った受信が得られた場合に、機器がどの地域にあるか判断することができなかった。
【００１５】
例えば、Ａ県Ｂ地区と、Ｃ県Ｄ地区とにおいて、どちらも、電波強度が強い順に、周波数ｆ１［ＭＨｚ］、ｆ２［ＭＨｚ］、ｆ３［ＭＨｚ］のパターンが得られた場合に、機器が存在する地域が、Ａ県Ｂ地区であるか、Ｃ県Ｄ地区であるかの判断ができなかった。
【００１６】
本発明の課題は、地域設定装置が存在する地域を自動的且つ確実に設定することである。
【課題を解決するための手段】
【００１７】
上記課題を解決するため、請求項１に記載の発明の地域設定装置は、
電波の受信信号を復調して音声信号を出力するとともに、受信電波の周波数を調整可能な受信部と、
地域毎に放送局を有する放送局群の各放送局の周波数と、前記放送局群の各放送局で異なる第１の放送内容情報と、前記放送局群の各放送局の地域情報と、を対応付けて記憶する記憶部と、
前記放送局群を特定するための第２の放送内容情報の放送予定時刻に、前記受信部の周波数を前記記憶された各放送局の周波数に合せて前記第２の放送内容情報及び電界強度を検出し、当該第２の放送内容情報が検出された周波数のうち、電界強度が最も高い周波数を抽出し、当該抽出された周波数に対応する第１の放送内容情報の放送予定時刻に、前記受信部の周波数を前記抽出された周波数に合せて第１の放送内容情報を検出し、当該検出された第１の放送内容情報に対応する前記記憶された地域情報を自装置が存在する現在位置の地域情報として設定する制御部と、を備える。
【００１８】
請求項２に記載の発明は、請求項１に記載の地域設定装置において、
前記第１の放送内容情報は、コールサインであり、
前記第２の放送内容情報は、時報である。
【００１９】
請求項３に記載の発明は、請求項１又は２に記載の地域設定装置において、
放送局の放送に関するコンテンツデータを配信する機器を含むネットワークに接続され、当該ネットワーク上の機器と通信するネットワーク通信部を備え、
前記記憶部は、放送局の地域情報と、当該放送局の周波数と、当該放送局のコンテンツデータを配信する機器に接続するためのアドレス情報と、を対応付けて記憶し、
前記制御部は、放送の電波の受信信号を受信中に、前記受信部の周波数に対応し、且つ前記設定された現在位置の地域情報に対応する前記記憶されたアドレス情報を取得し、当該取得したアドレス情報を用いて、前記ネットワーク通信部を介して受信中の放送に対応する機器に接続してコンテンツデータを受信する。
【００２０】
請求項４に記載の発明は、請求項３に記載の地域設定装置において、
前記制御部は、前記ネットワーク通信部を介して機器に接続してコンテンツデータを受信した場合に、当該受信したコンテンツデータの配信元のアドレス情報に対応し、且つ前記設定された現在位置の地域情報に対応する前記記憶された周波数を取得し、前記受信部の周波数を前記取得した周波数に合せて、前記受信部を介して前記コンテンツデータに対応する放送の電波の受信信号を受信する。
【発明の効果】
【００２１】
本発明によれば、地域設定装置が存在する地域を自動的且つ確実に設定できる。
【図面の簡単な説明】
【００２２】
【図１】本発明に係る実施の形態の据え置き型レコーダの構成を示すブロック図である。
【図２】周波数テーブルの構成を示す図である。
【図３】コールサインテーブルの構成を示す図である。
【図４】時報音のパターンを示す図である。
【図５】ＵＲＬテーブルの構成を示す図である。
【図６】地域設定処理を示すフローチャートである。
【図７】図６の地域設定処理における地域設定本処理を示す。
【図８】図７の続きの地域設定本処理を示すフローチャートである。
【図９】コールサインリストの構成を示す図である。
【図１０】従来の第１の地域設定処理を示すフローチャートである。
【図１１】従来の第２の地域設定処理を示すフローチャートである。
【発明を実施するための形態】
【００２３】
以下、添付図面を参照して本発明に係る実施の形態を詳細に説明する。ただし、発明の範囲は、図示例に限定されない。
【００２４】
先ず、図１を参照して、本実施の形態の装置構成を説明する。図１に、本実施の形態の据え置き型レコーダ１の構成を示す。
【００２５】
据え置き型レコーダ１は、地上デジタルＴＶ放送の映像情報を記憶する据え置き型レコーダである。図１に示すように、据え置き型レコーダ１は、ＴＶ２と、アンテナ３と、に接続されている。また、据え置き型レコーダ１は、ルータ（図示略）等を介して、インターネット回線に接続されている。
【００２６】
ＴＶ２は、地上デジタル放送の映像及び音声の表示出力装置であり、ＬＣＤ（Liquid Crystal Display）、ＥＬＤ（ElectroLuminescent Display）等により構成されている。ＴＶ２に代えて、映像信号のモニタとしてもよい。ＴＶ２は、据え置き型レコーダ１から入力される映像出力信号及び音声出力信号に応じて映像及び音声を出力する。
【００２７】
アンテナ３は、地上デジタルＴＶ放送と、ＦＭラジオ放送とのアンテナである。アンテナ３により、地上デジタルＴＶ放送又はＦＭラジオ放送の放送局（親局）又は中継局から放射された電波が受信され、受信電波の電気信号である受信信号として据え置き型レコーダ１に出力される。
【００２８】
据え置き型レコーダ１は、制御部としてのＣＰＵ（Central Processing Unit）１１と、ＲＡＭ（Random Access Memory）１２と、記憶部１３と、表示部１４と、操作部１５と、計時部１６と、ＴＶチューナー１７と、受信部としてのラジオチューナー１８と、映像出力部１９と、音声出力部２０と、ネットワーク通信部としてのＬＡＮ（Local Area Network）通信部２１と、を備える。
【００２９】
ＣＰＵ１１は、据え置き型レコーダ１の各部を制御する。ＣＰＵ１１は、記憶部１３に記憶されているシステムプログラム及びアプリケーションプログラムのうち、指定されたプログラムをＲＡＭ１２に展開し、この展開されたプログラムとの協働で、各種処理を実行する。
【００３０】
ＣＰＵ１１は、地域設定プログラムに従い、ＮＨＫ（日本放送協会）−ＦＭ放送局を特定するための時報の放送時に、ラジオチューナー１８の周波数を各放送局の周波数に順次変更して音声パターンデータを取得し、当該音声パターンデータから時報のパターン及び電界強度を検出し、時報のパターンが検出された周波数のうち、電界強度が最も高い周波数を抽出し、当該抽出された周波数に対応するコールサインの放送時に、ラジオチューナー１８の周波数を前記抽出された周波数に変更して音声パターンデータを取得し、前記音声パターンデータからコールサインのパターンを検出し、当該検出されたコールサインに対応する県名を現在位置の地域として設定する。
【００３１】
ＲＡＭ１２は、情報を一時的に記憶する揮発性のメモリであり、プログラム及びデータを格納するワークエリアを有する。
【００３２】
記憶部１３は、ＨＤＤ（Hard Disk Drive）等により構成され、各種情報を読み書き自在に記憶する。記憶部１３には、地上デジタルＴＶ放送の映像データ及び音声データや、各種プログラム及び各種データが記憶される。また、記憶部１３には、後述する周波数テーブル３０、コールサインテーブル４０、時報テーブル、ＵＲＬテーブル５０及び地域設定プログラムが記憶されている。
【００３３】
表示部１４は、据え置き型レコーダ１に内蔵されたＬＣＤ等の表示部であり、ＣＰＵ１１から入力される表示情報に基づいて各種表示を行う。操作部１５は、ユーザからの操作入力を受け付ける操作部である。操作部１５は、各種キー操作を受け付けるキー操作部と、リモコン（図示略）から出力された赤外線等の操作情報の信号を受信する受信部と、を有し、キー操作部、受信部により受け付けられた操作情報をＣＰＵ１１に出力する。
【００３４】
計時部１６は、現在時刻を計時する計時回路を備え、計時された現在の時刻情報をＣＰＵ１１に出力する。計時部１６における現在時刻の調整は、ユーザからの現在時刻情報の入力を操作部１５により受け付け、当該入力情報に応じて現在時刻を調整する構成でもよく、電波時計用の電波を受信するチューナーを備え、当該チューナーにより受信された電波時計用の電波から復調される信号を用いて現在時刻を調整する構成としてもよい。
【００３５】
ＴＶチューナー１７は、アンテナ３から入力される地上デジタルＴＶ放送の受信信号を復調してデジタルの映像信号及び音声信号を取得してＣＰＵ１１に出力する。
【００３６】
ラジオチューナー１８は、ＦＭラジオ放送のチューナーであるものとする。ラジオチューナー１８は、ＣＰＵ１１の指示により受信電波の周波数が設定される。ラジオチューナー１８は、アンテナ３から入力されるラジオ放送の受信信号のうち、前記設定された周波数の受信信号を復調して音声信号（音声パターンデータ）としてＣＰＵ１１に出力する。また、ラジオチューナー１８は、受信電波の電界強度を測定してＣＰＵ１１に出力する。
【００３７】
映像出力部１９は、ＣＰＵ１１から入力される映像信号を、ＴＶ２用のアナログ又はデジタルの映像出力信号に変換してＴＶ２に出力する出力部である。音声出力部２０は、ＣＰＵ１１から入力される音声信号を、ＴＶ２用のアナログ又はデジタルの音声出力信号に変換してＴＶ２に出力する。
【００３８】
ＬＡＮ通信部２１は、ルータ（図示略）等を介してインターネット回線に接続されているＬＡＮ用のネットワークカード等により構成される。ＬＡＮ通信部２１は、ＷＷＷ（World Wide Web）のインターネット回線上の機器と各種情報を送受信する。
【００３９】
また、据え置き型レコーダ１は、ＦＭ放送（ＦＭのアナログ放送）を受信して音声出力する機能を有する。このＦＭ放送の放送局は、ＮＨＫ−ＦＭの放送局に限定されず、ＮＨＫ−ＦＭの放送局及びそれ以外のＦＭ放送局を含む全てのＦＭ放送局である。具体的には、据え置き型レコーダ１において、ＦＭ放送のアナログ電波がラジオチューナー１８により受信されて復調され、ＣＰＵ１１により、その復調された音声信号が音声出力部２０を介して音声出力信号としてＴＶ２に出力される。ＴＶ２において、据え置き型レコーダ１から入力された音声出力信号に対応するＦＭ放送が、内蔵スピーカから音声出力される。
【００４０】
また、全ＦＭ放送局のうちの所定のＦＭ放送局は、インターネット回線上に自局のサーバ装置を有し、自局のＦＭ放送のアナログ電波を送信するとともに、前記サーバ装置から前記自局のＦＭ放送の内容と同様の、若しくはその内容から付加価値のあるコンテンツ（静止画、動画、動画＋音声、音声等）のデータ（ＦＭ放送に関する内容のコンテンツデータ）を、インターネット上で配信しているものとする。但し、ＦＭ放送に関連するコンテンツデータの配信先は、放送法上の問題から、当該ＦＭ放送を受信できる地域のみの機器に限定される。また、このサーバ装置は、アクセス（ＩＰ（Internet Protocol）接続）のためのアドレス情報としてのＵＲＬ（Uniform Resource Locator）（ＩＰアドレス）を有する。
【００４１】
さらに、据え置き型レコーダ１は、コンテンツデータを配信している放送局のＦＭ放送の受信及びＴＶ２での音声出力中に、所定操作に応じて、ＬＡＮ通信部２１を介して、受信中のＦＭ放送の放送局のサーバ装置にＩＰ接続し、このサーバ装置からコンテンツデータを受信（ダウンロード）して出力（再生）する機能を有する。より具体的には、据え置き型レコーダ１において、ＣＰＵ１１により、放送局のサーバ装置から受信されたコンテンツデータが映像信号及び／又は音声信号に変換され、この映像信号及び／又は音声信号が映像出力部１９及び／又は音声出力部２０を介して映像出力信号及び／又は音声出力信号としてＴＶ２に出力される。ＴＶ２において、据え置き型レコーダ１から入力されたコンテンツデータに対応する映像出力信号及び／又は音声出力信号に応じて、内蔵モニタ及び／又は内蔵スピーカからコンテンツ（データ）が表示及び／又は音声出力（再生）される。
【００４２】
このように、据え置き型レコーダ１において、ＦＭ放送の音声出力から、コンテンツデータの再生への切り替えが可能である。逆に、据え置き型レコーダ１は、所定操作に応じて、コンテンツデータの再生から、このコンテンツデータに対応する放送局のＦＭ放送の音声出力に切り替える機能を有するものとする。このように、据え置き型レコーダ１は、ＦＭ放送と、これにリンクするコンテンツ（データ）と、を切り替えてＴＶ２に出力可能である。
【００４３】
次に、図２〜図５を参照して、記憶部１３に記憶される情報を説明する。図２に、周波数テーブル３０の構成を示す。図３に、コールサインテーブル４０の構成を示す。図４に、時報音のパターンを示す。図５に、ＵＲＬテーブル５０の構成を示す。
【００４４】
記憶部１３には、周波数テーブル３０及びコールサインテーブル４０が記憶されている。周波数テーブル３０は、放送局（親局）／中継局の情報と、放送局の周波数と、が対応付けられたテーブルである。図２に示すように、周波数テーブル３０は、県名３１と、放送局／中継局３２と、周波数３３と、の項目を有する。
【００４５】
県名３１は、放送局／中継局３２の放送局（親局）又は中継局が所在し放送可能な地域（放送局（親局）又は中継局が免許を取得している地域）である県の名称である。放送局／中継局３２は、放送局（親局）又は中継局の名称（所在地名）である。周波数３３は、放送局／中継局３２の放送局（親局）又は中継局が放送する電波の周波数［ＭＨｚ］である。放送局／中継局３２の放送局（親局）及び中継局は、全てＮＨＫ−ＦＭの放送局（親局）及び中継局であるものとする。ＮＨＫ−ＦＭの放送局は、全国の地域毎に放送局（親局）又は中継局を有し、各放送局（親局）／中継局の放送地域（県域）がそれぞれ決められている。
【００４６】
周波数テーブル３０において、例えば、放送局／中継局３２が、秩父、小田原、大和である場合に、周波数３３が８３．５［ＭＨｚ］であるように、異なる地域の放送局又は中継局で、同じ周波数の放送を行うケースが存在する。
【００４７】
コールサインテーブル４０は、放送局（親局）／中継局の情報と、コールサインの情報と、が対応付けられたテーブルである。
【００４８】
コールサイン（呼出符号）とは、各放送局でユニークな識別情報である。コールサインは、全ての時報放送のうち、所定の時報の放送時間帯に、時報に続いて読み上げられる。例えば、ＮＨＫ−ＦＭでは、一日の放送のうち一定の時間帯（例えば、一時間毎にＸ時０分付近）に特徴的なパターンの時報音の放送がなされる。図４において、横軸は時間軸である。図４に示すように、ＮＨＫ−ＦＭでは、時報の時刻を０［ｓ］と表すと、その１［ｓ］前、２［ｓ］前、３［ｓ］前（それぞれ５７［ｓ］、５８［ｓ］５９［ｓ］と表す）に、１００［ｍｓ］の４４０［Ｈｚ］の時報音が放送される。そして、０［ｓ］になると、８８０［Ｈｚ］の時報音がフェードアウトして放送される。つまり、図４に示す時報のパターンが検出されると、受信電波の放送局がＮＨＫ−ＦＭの放送局であることが特定される。
【００４９】
例えば、ＮＨＫ−ＦＭの前橋放送局、長野放送局において、時刻が４時５９分５０秒、１１時５９分５０秒、１８時５９分５０秒で、時報に続いて「ＪＯＴＰ−ＦＭ  ＮＨＫ前橋ＦＭ放送。」、「ＪＯＮＫ−ＦＭ  ＮＨＫ長野ＦＭ放送です。」等の文言が男性の声で読み上げられて放送される。これら文言に、コールサイン（「ＪＯＴＰ−ＦＭ」、「ＪＯＮＫ−ＦＭ」）が含まれている。但し、番組構成によっては、コールサイン放送予定時間に、コールサイン読み上げが無い場合もある。
【００５０】
図３に示すように、コールサインテーブル４０は、周波数４１と、県名４２と、放送局／中継局４３と、コールサイン４４と、コールサインの時間４５と、の項目を有する。周波数４１は、放送局（親局）又は中継局の放送電波の周波数である。県名４２は、周波数４１に対応する放送局（親局）又は中継局が所在し放送可能な地域である県の県名である。放送局／中継局４３は、周波数４１に対応する放送局（親局）又は中継局の所在地名である。
【００５１】
コールサイン４４は、放送局／中継局４３に対応する放送局又は中継局を示すコールサインである。但し、コールサイン４４において、「−ＦＭ」が省略されている。コールサインの時間４５は、コールサイン４４の放送開始予定時刻である。コールサインの時間４５は、コールサイン検出のため、実際のコールサイン開始予定時刻よりも早い時刻に設定されている。
【００５２】
コールサインの時間４５は、変更する可能性がある場合も存在する。この場合に、据え置き型レコーダ１において、コールサインテーブル４０が定期的に更新されることが好ましい。例えば、インターネット回線上のサーバ（図示略）に、随時更新されているコールサインテーブルが格納されており、据え置き型レコーダ１において、定期的に、ＬＡＮ通信部２１を介して、前記サーバから最新のコールサインテーブルが受信され、記憶部１３に記憶されているコールサインテーブル４０が、前記受信された最新のコールサインテーブルに更新される。
【００５３】
また、記憶部１３には、時報テーブル（図示略）が記憶されている。時報テーブルは、時報と、放送開始予定時刻（時報の時間）と、が対応付けられて記憶されている。この「時報の放送開始予定時刻」は、時報検出のため、実際の時報開始予定時刻よりも早い時刻に設定されている。
【００５４】
また、記憶部１３には、ＵＲＬテーブル５０が記憶されている。ＵＲＬテーブル５０は、放送局の情報と、各放送局のコンテンツデータの配信元のＵＲＬと、が対応付けられたテーブルである。図５に示すように、ＵＲＬテーブル５０は、県名５１と、放送局名５２と、周波数５３と、ＵＲＬ５４と、の項目を有する。
【００５５】
県名５１は、放送局名５２の放送局（親局）又は中継局が所在し放送可能な地域（放送局（親局）又は中継局が免許を取得している地域）である県の名称である。放送局名５２は、放送局（親局）又は中継局の名称である。但し、放送局名５２は、ＮＨＫ−ＦＭの放送局のみならず、ＮＨＫ−ＦＭ以外のＦＭ放送局の放送局名を含む。周波数５３は、放送局名５２の放送局（親局）又は中継局が放送する電波の周波数［ＭＨｚ］である。ＵＲＬ５４は、放送局名５２の放送局（親局）又は中継局のコンテンツデータの配信元のサーバ装置（サイト）のＵＲＬである。
【００５６】
次に、図６〜図９を参照して、据え置き型レコーダ１の動作を説明する。図６に、地域設定処理を示す。図７に、図６の地域設定処理における地域設定本処理を示す。図８に、図７の続きの地域設定本処理を示す。図９に、コールサインリスト６０の構成を示す。
【００５７】
地域設定処理は、据え置き型レコーダ１が存在する地域を地域設定情報として設定する処理である。ここで、地域設定処理の必要性について説明する。
【００５８】
先ず、前述したように、据え置き型レコーダ１は、地域設定処理により地域設定がなされて地域設定情報が記憶されていると、この地域設定情報に基づいて、据え置き型レコーダ１が存在する地域の地上デジタルＴＶ放送のチャンネルパターンの設定を自動的に行うことができる。
【００５９】
さらに、据え置き型レコーダ１が受信中（及び音声出力中）のＦＭ放送に対応するコンテンツデータの取得において、据え置き型レコーダ１が存在する地域の特定が必要となるケースがある。例えば、据え置き型レコーダ１が周波数80.0[ＭＨｚ]でＦＭ放送を受信中に、このＦＭ放送に対応するコンテンツデータを配信するサーバ装置（サイト）にＩＰ接続しようとした場合を考える。国内の周波数80.0[ＭＨｚ]利用の放送局と、この放送局の地域（県域）との組合せは、次表１のようになる
【表１】
2010288037.tif 000003
【００６０】
80.0[ＭＨｚ]のＦＭ放送の放送局の候補について、地域情報がわからないと据え置き型レコーダ１がどの放送局のサーバ装置（サイト）へＩＰ接続すればよいのか判断が出来ない。据え置き型レコーダ１が自動で地域を設定すれば、同じ周波数80.0[ＭＨｚ]のＦＭ放送を受信している時にも、どこの放送局のサーバ装置（サイト）へＩＰ接続すればよいかを判断することが可能となる。
【００６１】
また、据え置き型レコーダ１が、全国のＦＭラジオ放送局に関するデータを提供する所定のサーバ装置（サイト）にＩＰ接続して取得する場合に、据え置き型レコーダ１が存在している地域がわからないと、どの放送局のデータをＴＶ２に表示してよいのか判断が出来ない。例えば、据え置き型レコーダ１が、インターネットで全国のＦＭ放送の番組表データを提供しているサーバ装置（サイト）から、ＬＡＮ通信部２１を介して番組表データを受信したとして、自装置の地域情報がわからないと、どの放送局を番組表としてリスト表示すべきか判断が出来ない。仮に全ての放送局の番組表データを表示する場合には、1000以上の放送局の番組表データをＴＶ２に表示する事になってしまう。地域情報が特定（設定）されていれば、その地域で放送を行っている放送局の番組表データを抽出してＴＶ２に表示することが可能となる。
【００６２】
次いで、地域設定処理の詳細な内容を説明する。据え置き型レコーダ１において、例えば、据え置き型レコーダ１が工場出荷後地域設定がなされて無い状態で、操作部に地域設定処理の実行指示が入力されたことや、据え置き型レコーダ１の検知部（図示略）によりＡＣコンセントが挿されたことを検知したこと、をトリガとして、記憶部１３から読み出されてＲＡＭ１２に格納された地域設定プログラムと、ＣＰＵ１１との協働により、地域設定処理が実行される。なお、ＡＣコンセントが抜かれたことを検知した場合はその後機器を移動される可能性がある為、機器内の地域設定情報が初期化される。
【００６３】
図６に示すように、先ず、記憶部１３が参照され、記憶部１３に地域設定情報が記憶されていない（地域未設定）か否か、すなわち、据え置き型レコーダ１が存在する地域が未確定であるか否かが判別される（ステップＳ１）。地域が確定されている場合（ステップＳ１；ＮＯ）、地域設定処理が終了する。
【００６４】
地域が未確定である場合（ステップＳ１；ＹＥＳ）、後述する地域設定本処理が実行され（ステップＳ２）、地域設定処理が終了する。
【００６５】
ここで、ステップＳ２の地域設定本処理を説明する。図７に示すように、先ず、記憶部１３に記憶されている周波数テーブル３０が参照され、ＮＨＫ−ＦＭの全放送局（放送局（親局）及び中継局）の全周波数の総数Ｎが設定される（ステップＳ２１）。そして、変数ｉ＝０，ｊ＝０に設定される（ステップＳ２２）。なお、ＮＨＫ−ＦＭには、同一周波数を別の放送局で使っている場合があるので（図９参照）、同一周波数は１と計算する。例えば、（出願時点で）ＮＨＫ−ＦＭ（放送局（親局）及び中継局）の数は２６１であるが、同一周波数を１とし、重複分を除いて計算すると周波数の総数は７５であるのでＮ＝７５が設定される。
【００６６】
そして、記憶部１３に記憶されている周波数テーブル３０が参照され、全放送局の全周波数３３が、それぞれ順に周波数候補として配列Ｔ（Ｔ［１］，Ｔ［２］，…）に格納される（ステップＳ２３）。なお、同一周波数は一度だけ格納し、同一周波数は重複して格納されない。そして、周波数−電界強度リストが初期化されてＲＡＭ１２に格納される（ステップＳ２４）。周波数−電界強度リストは、周波数と電界強度とが対応付けられて格納されるリストである。
【００６７】
そして、記憶部１３に記憶されている時報テーブルが参照され、計時部１６から現在の時刻情報が取得され、現在の時刻情報が、時報テーブルの（次の）時報開始予定時刻になったか否かが判別される（ステップＳ２５）。時報開始予定時刻になっていない場合（ステップＳ２５；ＮＯ）、ステップＳ２５に移行される。時報開始予定時刻になった場合（ステップＳ２５；ＹＥＳ）、ラジオチューナー１８により、受信周波数が周波数Ｔ［ｉ］に合せられて電波が受信され、その受信信号が復調されて所定時間の音声パターンデータが取得されてＲＡＭ１２に記憶される（ステップＳ２６）。ステップＳ２６において、電波の電界強度も検出される。
【００６８】
そして、ＲＡＭ１２に記憶されている音声パターンデータから、図４に示す時報のパターンが検出され、時報のパターンが検出されたか否かが判別される（ステップＳ２７）。時報のパターンが検出されていない場合（ステップＳ２７；ＮＯ）、変数ｉが１インクリメントされる（ステップＳ２８）。
【００６９】
時報のパターンが検出された場合（ステップＳ２７；ＹＥＳ）、周波数−電界強度リストのｊ番目のレコードに、検出した周波数Ｔ［ｉ］及び電界強度が格納される（ステップＳ２９）。そして、変数ｊが１インクリメントされ（ステップＳ３０）、ステップＳ２８に移行される。ステップＳ２８の実行後、ＲＡＭ１２に記憶されている周波数Ｔ［ｉ］の音声パターンデータがクリアされる（ステップＳ３１）。そして、Ｎ＜ｉであるか否かが判別される（ステップＳ３２）。Ｎ≧ｉである場合（ステップＳ３２；ＮＯ）、ステップＳ２５に移行される。
【００７０】
Ｎ＜ｉである場合（ステップＳ３２；ＹＥＳ）、変数ｊ＝０であるか否かが判別される（ステップＳ３３）。変数ｊ＝０でない場合（ステップＳ３３；ＮＯ）、ＲＡＭ１２に格納されている周波数−電界強度リストから最も電界強度が高い周波数が抽出される（ステップＳ３４）。ステップＳ３４では、さらに、例えば、抽出された周波数と、コールサインテーブル４０とに基づいて、コールサインリスト６０が作成されてＲＡＭ１２に記憶される。
【００７１】
図９に示すように、コールサインリスト６０は、例えば、周波数６１と、県名６２と、放送局６３と、放送局／中継局６４と、コールサイン６５と、の項目を有する。周波数６１は、ステップＳ３４で抽出された１つの周波数である。県名６２は、周波数６１と同じ周波数４１に対応する県名４２である。放送局６３は、周波数６１と同じ周波数４１に対応する放送局／中継局４３の放送局系列の名称である。本実施の形態においては、放送局６３は、ＮＨＫ−ＦＭとなる。放送局／中継局６４は、周波数６１と同じ周波数４１に対応する放送局／中継局４３である。コールサイン６５は、周波数６１と同じ周波数４１に対応するコールサイン４４である。
【００７２】
そして、記憶部１３に記憶されているコールサインテーブル４０が参照され、計時部１６から現在の時刻情報が取得され、現在の時刻情報が、コールサインテーブル４０のコールサインの時間４５（次のコールサイン開始予定時刻）になったか否かが判別される（ステップＳ３５）。コールサイン開始予定時刻になっていない場合（ステップＳ３５；ＮＯ）、ステップＳ３５に移行される。コールサイン開始予定時刻になった場合（ステップＳ３５；ＹＥＳ）、ラジオチューナー１８の受信周波数がステップＳ３４で抽出された周波数に合せられて電波が受信され、その受信信号が復調されて所定時間の音声パターンデータが取得されてＲＡＭ１２に記憶される（ステップＳ３６）。
【００７３】
そして、ＲＡＭ１２に記憶されている音声パターンデータから、コールサインリスト６０のコールサイン６５のパターンが検出され、１つのコールサインのパターンが検出されたか否かが判別される（ステップＳ３７）。コールサインのパターンが検出された場合（ステップＳ３７；ＹＥＳ）、検出されたコールサインと同じコールサイン６５に対応する県名６２が取得され、県名６２を据え置き型レコーダ１が存在する地域の地域情報として含む地域設定情報が生成されて記憶部１３に記憶されることにより、地域が設定され（ステップＳ３８）、地域設定本処理が終了する。
【００７４】
変数ｊ＝０である場合（ステップＳ３３；ＹＥＳ）、又はコールサインのパターンが検出されていない場合（ステップＳ３７；ＮＯ）、操作部１５により、ユーザからの地域情報入力が受け付けられ、当該地域情報を据え置き型レコーダ１が存在する地域の地域情報として含む地域設定情報が生成されて記憶部１３に記憶されることにより、地域が設定され（ステップＳ３９）、地域設定本処理が終了する。
【００７５】
ここで、据え置き型レコーダ１における地域設定処理の実行後の動作を説明する。地域設定処理の実行後に、据え置き型レコーダ１において、ユーザから操作部１５を介して選局された放送局のＦＭ放送が受信され、当該ＦＭ放送がＴＶ２から音声出力され、このＦＭ放送受信中に、ユーザから操作部１５に、受信中のＦＭ放送局のコンテンツデータ再生の指示入力がなされた場合を考える。この場合に、ＣＰＵ１１により、記憶部１３に記憶されている地域設定情報及びＵＲＬテーブル５０が参照され、受信中のＦＭ放送局の周波数５３に対応し、且つ地域設定情報と同じ県名５１に対応する放送局名５２が特定され、この特定された放送局名５２に対応するＵＲＬ５４が取得される。そして、ＣＰＵ１１により、取得されたＵＲＬ５４を用いて、ＬＡＮ通信部２１を介してインターネット上のサーバ装置（サイト）にＩＰ接続されてコンテンツデータが受信され、当該コンテンツデータがＴＶ２に表示及び／又は音声出力される。
【００７６】
但し、図５のＵＲＬテーブル５０のうち、ＵＲＬ５４が設定されていないＦＭ山形（Boy）等の放送局名５２の放送局は、コンテンツデータの配信を行っていないので、コンテンツデータ再生の指示入力がなされても、ＦＭ放送受信及び音声出力から、コンテンツデータの再生（受信）への切り替えをしない、若しくは切り替えが無効とされる。
【００７７】
また、地域設定処理の実行後に、据え置き型レコーダ１において、ＬＡＮ通信部２１を介してインターネット上の、ユーザから操作部１５を介して選択された放送局のサーバ装置（サイト）からコンテンツデータが受信され、このコンテンツデータのＴＶ２への再生中に、ユーザから操作部１５に、再生中のコンテンツデータの配信元の放送局の放送受信の指示入力がなされた場合を考える。但し、地域設定処理のステップＳ３８において、地域設定情報に加えて、検出されたコールサイン６５に対応する放送局／中継局６４が、放送局／中継局の設置されている地域（名）として、記憶部１３に記憶されているものとし、ステップＳ３９において、地域設定情報に加えて、地域設定情報の県域（県名）のうちの放送局／中継局の設置されている地域（名）がユーザ入力されて記憶部１３に記憶されているものとする。
【００７８】
この場合に、ＣＰＵ１１により、記憶部１３に記憶されている地域設定情報及びＵＲＬテーブル５０が参照され、再生中のコンテンツデータの配信元のＵＲＬ５４に対応し、且つ地域設定情報と同じ県名５１に対応する放送局名５２が特定され、この特定された放送局名５２に対応し、且つ記憶部１３に記憶されている放送局／中継局の設置されている地域に対応する周波数５３が取得される。そして、ＣＰＵ１１により、ラジオチューナー１８の周波数が前記取得された周波数５３に合せられて、前記コンテンツデータの配信元のＦＭ放送がＴＶ２から音声出力される。なお、放送局／中継局の設置されている地域はＮＨＫ−ＦＭと他のＦＭ局で完全に一致しない場合もあるので、その場合は、別途地域対応表を記憶しておき、適宜参照してもよい。
【００７９】
また、地域設定処理の実行後に、据え置き型レコーダ１において、ユーザから操作部１５を介してＦＭ放送局の番組表等のデータを配信するサーバ装置（サイト）のＵＲＬが入力され、ＬＡＮ通信部２１を介して前記ＵＲＬのサーバ装置（サイト）にＩＰ接続して、全国のＦＭ放送局の番組表等のデータが受信された場合を考える。この場合に、ＣＰＵ１１により、記憶部１３に記憶されている地域設定情報及びＵＲＬテーブル５０が参照され、受信されたデータのうち、地域設定情報と同じ県名５１に対応する放送局名５２に対応するデータが抽出されてＴＶ２に表示される。
また、従来の技術で説明したように、地域設定処理の実行後に、据え置き型レコーダ１において、地域設定情報に応じて、自装置が存在する地域の地上デジタル放送のチャンネルパターンの設定を行うことが可能である。
【００８０】
以上、本実施の形態によれば、据え置き型レコーダ１は、ラジオチューナー１８と、周波数テーブル３０及びコールサインテーブル４０を記憶する記憶部１３と、ＣＰＵ１１と、を備える。ＣＰＵ１１は、ＮＨＫ−ＦＭ放送局を特定するための時報の放送予定時刻に、ラジオチューナー１８の周波数を周波数テーブル３０の各放送局の周波数３３（互いに異なる周波数）に順次変更して音声パターンデータを取得し、当該音声パターンデータから時報（のパターン）及び電界強度を検出し、時報が検出された周波数のうち、電界強度が最も高い周波数を抽出し、当該抽出された周波数に対応するコールサインの放送予定時刻に、ラジオチューナー１８の周波数を前記抽出された周波数に変更して音声パターンデータを取得し、前記音声パターンデータからコールサインテーブル４０のコールサイン４４（コールサイン６５）（のパターン）を検出し、当該検出されたコールサインに対応する県名４２（県名６２）を現在位置の地域として設定する。
【００８１】
このため、時報に基づいて受信電波がＮＨＫ−ＦＭ放送局に対応することを特定でき、ＮＨＫ−ＦＭ放送局における異なる地域で同じ周波数を有する放送局についても、コールサインに基づいて受信電波の放送局を特定でき、据え置き型レコーダ１が存在する地域を自動的且つ確実に設定できる。
【００８２】
また、据え置き型レコーダ１のＣＰＵ１１は、ＦＭ放送の電波の受信信号を受信中に、ラジオチューナー１８の周波数に対応し、且つ記憶部１３に記憶されている地域設定情報に対応するＵＲＬテーブル５０のＵＲＬ５４を取得し、当該取得したＵＲＬ５４を用いて、ＬＡＮ通信部２１を介して受信中のＦＭ放送に対応するサーバ装置(サイト)にＩＰ接続してコンテンツデータを受信する。このため、地域設定情報に基づいて、据え置き型レコーダ１が存在する地域における受信中のＦＭ放送の放送局に対応するコンテンツデータを受信できる。特に、異なる地域で同じ周波数を有する放送局が存在しても、据え置き型レコーダ１が存在する地域における受信中のＦＭ放送の放送局に対応するコンテンツデータを容易且つ確実に受信できる。
【００８３】
また、据え置き型レコーダ１のＣＰＵ１１は、ＬＡＮ通信部２１を介して所定の放送局のサーバ装置(サイト)にＩＰ接続に接続してコンテンツデータを受信した場合に、当該受信したコンテンツデータの配信元のＵＲＬに対応し、且つ記憶部１３に記憶されている地域設定情報に対応するＵＲＬテーブル５０の周波数５３を取得し、ラジオチューナー１８の周波数を前記取得した周波数５３に合せて、ラジオチューナー１８を介して前記コンテンツデータに対応するＦＭ放送の電波の受信信号を受信する。このため、地域設定情報に基づいて、据え置き型レコーダ１が存在する地域における受信したコンテンツデータの配信元の放送局のＦＭ放送を受信できる。特に、異なる地域で同じ周波数を有する放送局が存在しても、据え置き型レコーダ１が存在する地域における受信したコンテンツデータの配信元の放送局のＦＭ放送を容易且つ確実に受信できる。
【００８４】
なお、上記実施の形態における記述は、本発明に係る地域設定装置の一例であり、これに限定されるものではない。
【００８５】
上記実施の形態では、地域設定装置を、地域設定が可能な地上デジタル放送の据え置き型レコーダ１としたが、これに限定されるものではない。例えば、据え置き型の地域設定装置として、地上デジタル放送のＴＶ装置や、地上デジタル放送又はワンセグ放送のチューナーを有するＰＣ（Personal Computer）等としてもよい。さらに、地域設定装置として、位置が移動するモバイル機器としてもよい。モバイル機器としては、例えば、地上デジタル放送又はワンセグ放送のチューナーを有するカーナビゲーションや、ワンセグ放送を受信する携帯電話機、携帯ＴＶ装置等がある。モバイル機器としての地域設定装置においては、図４と同様の地域設定本処理の実行のトリガを、例えば、工場出荷後に初めて電源オンした場合と、一度地域設定された後に、設定中の地域に対応する放送局の電波受信レベルを監視し、当該電波受信レベルが一定値以下になった場合と、にすることが好ましい。
【００８６】
また、上記実施の形態では、ラジオチューナー１８が１つである、ＦＭのラジオ放送の受信が１系統の据え置き型レコーダ１としたが、これに限定されるものではない。例えば、地域設定装置が、ラジオ放送の音声出力機能を有する構成とし、地域設定処理用のラジオチューナーと、聴取用のラジオチューナーと、を有する受信が２系統の地域設定装置のような複数系統の地域設定装置としてもよい。さらに、地域設定処理における周波数−電界強度リストの作成処理（ステップＳ２５〜Ｓ３２）にかかる時間を低減するために、受信を複数系統とし、各周波数の時報の電波受信を複数系統で同時に行う地域設定装置としてもよい。
【００８７】
また、上記実施の形態では、据え置き型レコーダ１が、図４に示す時報のパターンを検出することにより、受信電波の放送局がＮＨＫ−ＦＭ放送局であることを特定したが、これに限定されるものではない。ＮＨＫ−ＦＭ放送局のように、地域毎に放送局を有する放送局群において、この放送局群を特定可能な特徴的な放送内容が放送されていれば、この特徴的な放送内容が時報以外であってもよい。この特徴的な放送内容を検出することにより、受信電波の放送局が前記放送局群の放送局であることを特定できる。
【００８８】
また、上記実施の形態では、据え置き型レコーダ１が、コールサインを検出することにより、抽出周波数の電波の放送局がＮＨＫ−ＦＭ放送局のどの放送局であるかを特定したが、これに限定されるものではない。地域毎に放送局を有する放送局群において、放送局毎に異なる特徴的な放送内容が放送されていれば、この特徴的な放送内容がコールサイン以外であってもよい。この特徴的な放送内容を検出することにより、受信電波の放送局が前記放送局群のどの放送局であるかを特定できる。
【００８９】
また、上記実施の形態では、据え置き型レコーダ１が、アナログのラジオ放送としてのＦＭ放送を受信及び音声出力可能であり、ＦＭ放送の放送局のサーバ装置（サイト）から、当該放送局に対応するコンテンツデータを受信可能である構成としたが、これに限定されるものではない。例えば、据え置き型レコーダ１が、ＡＭ（Amplitude Modulation）ラジオ放送等、他のアナログ電波放送を受信及び音声出力可能であり、当該アナログ電波放送の放送局のサーバ装置（サイト）から、当該放送局に対応するコンテンツデータを受信可能である構成としてもよい。また、据え置き型レコーダ１が、ＦＭ放送以外のアナログ電波放送の時報、コールサイン等の放送内容を検出する構成としてもよい。
【００９０】
その他、上記実施の形態における据え置き型レコーダ１の細部構成及び詳細動作に関しても、本発明の趣旨を逸脱しない範囲で適宜変更可能である。
【符号の説明】
【００９１】
１  据え置き型レコーダ
１１  ＣＰＵ
１２  ＲＡＭ
１３  記憶部
１４  表示部
１５  操作部
１６  計時部
１７  ＴＶチューナー
１８  ラジオチューナー
１９  映像出力部
２０  音声出力部
２１  ＬＡＮ通信部
２  ＴＶ
３  アンテナ
【図１】
2010288037.tif 000004
【図２】
2010288037.tif 000005
【図３】
2010288037.tif 000006
【図４】
2010288037.tif 000007
【図５】
2010288037.tif 000008
【図６】
2010288037.tif 000009
【図７】
2010288037.tif 000010
【図８】
2010288037.tif 000011
【図９】
2010288037.tif 000012
【図１０】
2010288037.tif 000013
【図１１】
2010288037.tif 000014